(57)【特許請求の範囲】
【請求項１】
ウェブが上下方向に延在し、このウェブを挟んで上下端部から同一方向に延在する上部フランジ及び下部フランジを有して互いに平行配置された屋根母屋として構成される複数の溝形鋼にそれぞれ装着され、前記溝形鋼を挟んで配置した第１建材及び第２建材を保持する建材保持部材であって、
前記ウェブの外壁に沿って前記溝形鋼に固定される第１保持部材と、
前記下部フランジを覆いながら前記第１保持部材に着脱自在に係合する化粧ホルダーと、を有し、
前記第１保持部材は、前記ウェブの外周に向けて端部を配置した前記第１建材の上面に当接する第１挟持片を備え、
前記化粧ホルダーは、前記第１建材の下面に当接して当該第１建材を前記第１挟持片に向かう厚さ方向に押圧する第２挟持片と、前記溝形鋼の開口部に挿入した前記第２建材の端部を厚さ方向から挟持する第３挟持片と、を備えていることを特徴とする建材保持部材。
【請求項２】
ウェブが上下方向に延在し、このウェブを挟んで上下端部から同一方向に延在する上部フランジ及び下部フランジを有して互いに平行配置された屋根母屋として構成される複数の溝形鋼にそれぞれ装着され、前記溝形鋼を挟んで配置した第１建材及び第２建材を保持する建材保持部材であって、
前記ウェブの外壁に沿って前記溝形鋼に固定される第１保持部材と、
前記下部フランジを覆いながら前記第１保持部材に着脱自在に係合する化粧ホルダーと、
前記溝形鋼の内壁に沿って装着される第２保持部材と、を有し、
前記第１保持部材は、前記ウェブの外周に向けて端部を配置した前記第１建材の上面に当接する第１挟持片を備え、
前記化粧ホルダーは、前記第１建材の下面に当接して当該第１建材を前記第１挟持片に向かう厚さ方向に押圧する第２挟持片を備え、
前記第２保持部材は、前記下部フランジに向けて延在し、前記溝形鋼の開口部に挿入した前記第２建材の端部を厚さ方向から挟持する第４挟持片、を備えていることを特徴とする建材保持部材。
【請求項３】
第１フランジ及び第２フランジが互いに直交し、前記第１フランジが上下方向に延在して互いに平行配置された屋根母屋として構成される複数の山形鋼にそれぞれ装着され、前記複数の山形鋼を挟んで配置した平板形状の第１建材及び第２建材を保持する建材保持部材であって、
前記第１フランジの外壁に沿って前記山形鋼に固定される第１保持部材と、
前記山形鋼の下側を覆う化粧部を有し、少なくとも一部が前記第１保持部材に着脱自在に重なる化粧ホルダーと、
前記山形鋼の内壁に沿って装着される第２保持部材と、を有し、
前記第１保持部材は、前記第１フランジの外壁に向けて配置した前記第１建材の上面に当接する第１挟持片を備え、
前記化粧ホルダーは、前記第１建材の下面に当接して当該第１建材を前記第１挟持片に向かう厚さ方向に押圧する第２挟持片を備え、
前記第２保持部材は、前記第１フランジの上部側から下方に向けて突出し、前記第１フランジの内壁に向けて配置した前記第２建材の端部を厚さ方向から挟持する第４挟持片と、を備えていることを特徴とする建材保持部材。
【請求項４】
前記第２挟持片は、前記第１建材の下面を弾性復元力で前記第１挟持片に向かう方向に押圧することを特徴とする請求項１乃至３の何れか１項記載の建材保持部材。
【請求項５】
前記第３挟持片は、前記第２建材の端部の厚さ方向の面を弾性復元力で押圧することを特徴とする請求項１記載の建材保持部材。
【請求項６】
前記第４挟持片は、前記第２建材の端部の厚さ方向の面を弾性復元力で押圧することを特徴とする請求項２又は３に記載の建材保持部材。
【請求項７】
前記化粧ホルダーが重なる前記第１保持部材の部位に、凸状の第１係止部が形成されており、この第１係止部に、前記化粧ホルダーの凸状の第１被係止部が弾性変形しながら重なって一体化されることを特徴とする請求項１乃至６の何れか１項記載の建材保持部材。
【請求項８】
請求項１から請求項７の何れか１項記載の建材保持部材を使用した屋根構造であって、
互いに平行に配置した複数の垂木と、複数の垂木の上部、或いは下部に、軒棟方向に平行に離間しながら桁行方向に延在するように配置した複数の屋根母屋とを備え、
前記複数の屋根母屋のそれぞれに前記建材保持部材を装着し、隣接する一対の屋根母屋の間に配置した建材を前記建材保持部材で保持するようにしたことを特徴とする屋根構造。
【発明の詳細な説明】
【技術分野】
【０００１】
本発明は、屋根の骨組として用いられる鋼材（屋根母屋）に装着されて平板形状の建材を保持する建材保持部材と、これを使用した屋根構造に関する。
【背景技術】
【０００２】
鉄骨造の屋根構造として、勾配を付けて配置したＨ型鋼等の垂木の上に、溝形鋼（Ｃ型鋼：リップ溝形鋼）からなる複数の屋根母屋を軒棟方向に平行に固定し、これら屋根母屋の上部に屋根下地材を敷設して取付ける構造が知られている（例えば、特許文献１）。
【先行技術文献】
【特許文献】
【０００３】
【特許文献１】特開平０６−２３５２４６号公報（図１、図５）
【発明の概要】
【発明が解決しようとする課題】
【０００４】
ところで、特許文献１の構造は、ビスを使用して屋根母屋に屋根下地材が取付けられているが、例えば強風時に出入口の開閉の際、室内に入り込んだ風の風圧により屋根下地材に吹き上げ荷重が作用する場合には、多数のビスを使用して屋根下地材を屋根母屋に確実に取付けなければならず、屋根下地材の取付け作業に多くの時間と労力が必要となる。
また、天井のない状態で屋根母屋に屋根下地材を敷設した場合、天井高となって開放的な雰囲気となるが、屋根母屋を構成する溝形鋼が、屋根裏で露出することになり、見栄えが悪くなる。このため、屋根裏の見栄えを良くするために溝形鋼を仕上げ材で覆う必要があるが、溝形鋼への仕上げ材の取付けにも多くの時間と労力が必要となる。
本発明は、上記事情に鑑みてなされたものであり、屋根構造に採用することで、建材を確実に保持し、建材の取付けも簡単に行なうことができるとともに、屋根裏の見栄えも良くすることができる建材保持部材及びこれを使用した屋根構造を提供することを目的とする。
【課題を解決するための手段】
【０００５】
上記目的を達成するために、本発明の一態様に係る建材保持部材は、ウェブが上下方向に延在し、このウェブを挟んで上下端部から同一方向に延在する上部フランジ及び下部フランジを有して互いに平行配置された屋根母屋として構成される複数の溝形鋼にそれぞれ装着され、前記溝形鋼を挟んで配置した第１建材及び第２建材を保持する建材保持部材であって、前記ウェブの外壁に沿って前記溝形鋼に固定される第１保持部材と、前記下部フランジを覆いながら前記第１保持部材に着脱自在に係合する化粧ホルダーと、を有し、前記第１保持部材は、前記ウェブの外周に向けて端部を配置した前記第１建材の上面に当接する第１挟持片を備え、前記化粧ホルダーは、前記第１建材の下面に当接して当該第１建材を前記第１挟持片に向かう厚さ方向に押圧する第２挟持片と、前記溝形鋼の開口部に挿入した前記第２建材の端部を厚さ方向から挟持する第３挟持片と、を備えている建材保持部材である。
【０００６】
また、本発明の一態様に係る建材保持部材は、ウェブが上下方向に延在し、このウェブを挟んで上下端部から同一方向に延在する上部フランジ及び下部フランジを有して互いに平行配置された屋根母屋として構成される複数の溝形鋼にそれぞれ装着され、前記溝形鋼を挟んで配置した第１建材及び第２建材を保持する建材保持部材であって、前記ウェブの外壁に沿って前記溝形鋼に固定される第１保持部材と、前記下部フランジを覆いながら前記第１保持部材に着脱自在に係合する化粧ホルダーと、前記溝形鋼の内壁に沿って装着される第２保持部材と、を有し、前記第１保持部材は、前記ウェブの外周に向けて端部を配置した前記第１建材の上面に当接する第１挟持片を備え、前記化粧ホルダーは、前記第１建材の下面に当接して当該第１建材を前記第１挟持片に向かう厚さ方向に押圧する第２挟持片を備え、前記第２保持部材は、前記下部フランジに向けて延在し、前記溝形鋼の開口部に挿入した前記第２建材の端部を厚さ方向から挟持する第４挟持片、を備えている建材保持部材である。
【０００７】
また、本発明の一態様に係る建材保持部材は、第１フランジ及び第２フランジが互いに直交し、前記第１フランジが上下方向に延在して互いに平行配置された屋根母屋として構成される複数の山形鋼にそれぞれ装着され、前記複数の山形鋼を挟んで配置した平板形状の第１建材及び第２建材を保持する建材保持部材であって、前記第１フランジの外壁に沿って前記山形鋼に固定される第１保持部材と、前記山形鋼の下側を覆う化粧部を有し、少なくとも一部が前記第１保持部材に着脱自在に重なる化粧ホルダーと、前記山形鋼の内壁に沿って装着される第２保持部材と、を有し、前記第１保持部材は、前記第１フランジの外壁に向けて配置した前記第１建材の上面に当接する第１挟持片を備え、前記化粧ホルダーは、前記第１建材の下面に当接して当該第１建材を前記第１挟持片に向かう厚さ方向に押圧する第２挟持片を備え、前記第２保持部材は、前記第１フランジの上部側から下方に向けて突出し、前記第１フランジの内壁に向けて配置した前記第２建材の端部を厚さ方向から挟持する第４挟持片と、を備えている建材保持部材である。
【０００８】
また、本発明の一態様に係る建材保持部材は、前記第２挟持片が、前記第１建材の下面を弾性復元力で前記第１挟持片に向かう方向に押圧することが好ましい。
また、本発明の一態様に係る建材保持部材は、前記第３挟持片が、前記第２建材の端部の厚さ方向の面を弾性復元力で押圧することが好ましい。
また、本発明の一態様に係る建材保持部材は、前記第４挟持片が、前記第２建材の端部の厚さ方向の面を弾性復元力で押圧することが好ましい。
【０００９】
また、本発明の一態様に係る建材保持部材は、前記化粧ホルダーが重なる前記第１保持部材の部位に、凸状の第１係止部が形成されており、この第１係止部に、前記化粧ホルダーの凸状の第１被係止部が弾性変形しながら重なって一体化されることが好ましい。
そして、本発明の一態様に係る屋根構造は、上述した建材保持部材を使用した屋根構造であって、互いに平行に配置した複数の垂木と、複数の垂木の上部、或いは下部に、軒棟方向に平行に離間しながら桁行方向に延在するように配置した複数の屋根母屋とを備え、
前記複数の屋根母屋のそれぞれに前記建材保持部材を装着し、隣接する一対の屋根母屋の間に配置した建材を前記建材保持部材で保持するようにした屋根構造である。
【発明の効果】
【００１０】
本発明に係る建材保持部材によると、屋根母屋に第１建材及び第２建材を確実に保持することができるとともに第１及び第２建材の取付け作業に費やす時間と労力を大幅に低減し、屋根の施工コストを抑えることができる。
また、建材保持部材を使用した屋根構造によると、屋根母屋の下部を化粧ホルダーで覆っているので、室内から天井を見ても屋根母屋が露出せず、化粧性に優れた天井を提供することができる。
【図面の簡単な説明】
【００１１】
【図１】溝形鋼を屋根母屋とした屋根骨組を示す図である。
【図２】本発明に係る厚肉の第１及び第２建材を配置するための第１実施形態の屋根構造を示す要部断面図である。
【図３】第１実施形態の屋根構造において屋根母屋に第１保持部材を固定した状態を示す図である。
【図４】第１実施形態の屋根構造において屋根母屋を挟むように第１建材及び第２建材を配置した状態を示す図である。
【図５】第１実施形態の屋根構造において化粧ホルダーを装着する状態を示す図である。
【図６】第１実施形態の屋根構造を斜視図で示した図である。
【図７】本発明に係る薄肉の第１及び第２建材を配置するための第２実施形態の屋根構造を示す要部断面図である。
【図８】第２実施形態の屋根構造において屋根母屋に第１保持部材及び第２保持部材を装着した状態を示す図である。
【図９】第２実施形態の屋根構造において屋根母屋を挟むように第１建材及び第２建材を配置した状態を示す図である。
【図１０】第２実施形態の屋根構造において化粧ホルダーを装着する状態を示す図である。
【図１１】第２実施形態の屋根構造を斜視図で示した図である。
【図１２】本発明に係る屋根母屋を山形鋼として第１及び第２建材を配置する第３実施形態の屋根構造を示す要部断面図である。
【図１３】第３実施形態の屋根構造において屋根母屋に第１保持部材を装着した状態を示す図である。
【図１４】第３実施形態の屋根構造において屋根母屋に第２保持部材を装着した状態を示す図である。
【図１５】第３実施形態の屋根構造において屋根母屋を挟むように第１建材及び第２建材を配置した状態を示す図である。
【図１６】第３実施形態の屋根構造において化粧ホルダーを装着する状態を示す図である。
【図１７】図１２とは異なる配置とした山形鋼を屋根母屋として使用した場合の変形例の屋根構造を示す図である。
【発明を実施するための形態】
【００１２】
以下、本発明に係る建材保持部材を使用した屋根構造について図面を参照しながら説明する。
図１（ａ），（ｂ）は、本発明に係る鉄骨造の屋根骨組を示すものである。
図１（ａ）の屋根骨組は、Ｈ形鋼からなる垂木１の上部に、垂木１の延在方向に直交する方向に延在したＣ型鋼（リップ溝形鋼）からなる複数の屋根母屋２Ａ，２Ｂが、山形鋼からなる連結部材３により固定されて平行に延在している。屋根母屋２Ａ，２Ｂは、ウェブ２ａが上下方向に延在し、このウェブ２ａを挟んで上下端部に上部フランジ２ｂ及び下部フランジ２ｃを有し、上部フランジ２ｂ及び下部フランジ２ｃの先端部に上部リップ２ｂ１及び下部リップ２ｃ１を形成した部材であり、複数の屋根母屋２Ａ，２Ｂの開口部２ｄは同一方向（図１（ａ）では右方向）を向いている。そして、屋根母屋２Ａ，２Ｂ上に、野地材４が固定され、野地材４を上部から覆う屋根仕上げ材５が敷設される。
【００１３】
また、図１（ｂ）の屋根骨組は、垂木１の下部に、垂木１の延在方向に直交する方向に延在した複数の屋根母屋２Ａ，２Ｂが連結部材３を介して平行に固定されている。図１（ｂ）の屋根母屋２Ａ，２Ｂも開口部２ｄが同一方向（図１（ｂ）では右方向）を向いている。そして、垂木１上に野地材４が固定され、野地材４上に屋根仕上げ材５が敷設される。
【００１４】
（第１実施形態：屋根構造）
次に、図２から図６は、上記の屋根骨組の屋根母屋２Ａ，２Ｂに建材保持部材１０を装着し、屋根母屋２Ａ，２Ｂの間に配置した厚肉の屋根下地材１１ａ，１１ｂを、建材保持部材１０を介して保持する第１実施形態の屋根構造を示すものである。
本実施形態は、図２に示すように、垂木１の上部に固定された屋根母屋２Ａ（図１（ａ）参照）に建材保持部材１０が装着されている。
建材保持部材１０は、ウェブ２ａ、下部フランジ２ｃ及び下部リップ２ｃ１の外壁に当接して屋根母屋２Ａに固定されている金属平板を折曲して形成した第１保持部材１２と、下部フランジ２ｃ及び下部リップ２ｃ１を覆いながら第１保持部材１２に着脱自在に重なっている化粧を施した金属平板を折曲して形成した化粧ホルダー１３と、で構成されている。
【００１５】
第１保持部材１２は、ウェブ２ａの外壁に当接してビス１４でウェブ２ａに固定される固定片１２ａと、固定片１２ａの上端からウェブ２ａから離間する方向に折曲され、ウェブ２ａの外周に向けて端部を配置した厚肉の第１の屋根下地材１１ａの端部の上面に当接する第１挟持片１２ｂと、固定片１２ａの下端からウェブ２ａから離間する方向に凸状に折曲された第１係止部１２ｃと、この第１係止部１２ｃから下部フランジ２ｃ及び下部リップ２ｃ１を覆う被覆部１２ｄと、被覆部１２ｄの端部から下部リップ２ｃ１の上端を囲むように折曲されたリップ係合部１２ｅと、を備えている。
【００１６】
化粧ホルダー１３は、第１の屋根下地材１１ａの下面に当接して第１の屋根下地材１１ａを第１保持部材１２の第１挟持片１２ｂに向かう厚さ方向に押圧する第２挟持片１３ａと、第２挟持片１３ａの基部から延在して弾性変形しながら第１保持部材１２の第１係止部１２ｃの外側に重なる第１被係止部１３ｂと、第１被係止部１３ｂの基部から第１保持部材１２の被覆部１２ｄを覆って延在する化粧部１３ｃと、化粧部１３ｃの縁部に内側に折曲して形成された係合片１３ｄと、係合片１３ｄの先端側に折曲して形成され、屋根母屋２Ａの開口部２ｄに挿入した厚肉の第２の屋根下地材１１ｂの端部を上方に押圧する第３挟持片１３ｅと、を備えている。
なお、図１（ａ）において垂木１の上部に固定された屋根母屋２Ｂに装着される建材保持部材１０も、図２と同様の構造とされている。
【００１７】
次に、本実施形態の建材保持部材１０を使用した屋根構造の施工手順について、図３から図６を参照して説明する。
先ず、図３に示すように、第１保持部材１２の被覆部１２ｄで屋根母屋２Ａの下部フランジ２ｃを覆うとともに、第１保持部材１２の固定片１２ａを、屋根母屋２Ａのウェブ２ａの外壁に当接してビス１４で固定する。
次に、図４に示すように、ウェブ２ａの外周に向けて第１の屋根下地材１１ａの端部を配置するとともに、屋根母屋２Ａの開口部２ｄに、第２の屋根下地材１１ｂの端部を挿入し、その端部の上面を上部リップ２ｂ１に当接させる。
【００１８】
次に、図５に示すように、化粧ホルダー１３の係合片１３ｄを下部リップ２ｃ２の上端（第１保持部材１２の被覆部１２ｄの縁部）に係合し、この部位を回転中心として、化粧ホルダー１３の第３挟持片１３ａ側を上方に回転させる。
そして、化粧ホルダー１３の第１被係止部１３ｂを弾性変形させながら第１保持部材１２の第１係止部１２ｃの外側に重なるように係合させる。これにより、化粧ホルダー１３の第２挟持片１３ａが第１の屋根下地材１１ａの下面に当接して第１の屋根下地材１１ａを第１保持部材１２の第１挟持片１２ｂに向かう厚さ方向に押圧するとともに、化粧ホルダー１３の第３挟持片１３ｅが第２の屋根下地材１１ｂの端部を上方に押圧する。
【００１９】
そして、図６に示すように、屋根母屋２Ａに装着した建材保持部材１０（第１保持部材１２、化粧ホルダー１３）が、第１及び第２屋根下地材１１ａ，１１ｂの端部を保持する。また、図示しないが、屋根母屋２Ｂに装着した建材保持部材１０も、他の第１及び第２屋根下地材１１ａ，１１ｂの端部を保持する。
したがって、本実施形態の建材保持部材１０によると、複数の屋根母屋２Ａ，２Ｂに第１保持部材１２及び化粧ホルダー１３を装着することで、屋根母屋２Ａ（或いは屋根母屋２Ｂ）に隣接して配置された厚肉の第１屋根下地材１１ａの端部を第１挟持片１２ｂ、第２挟持片１３ａで確実に保持し、屋根母屋２Ａ（或いは屋根母屋２Ｂ）に隣接して配置された厚肉の第２屋根下地材１１ｂの端部を、上部リップ２ｂ１及び第２挟持片１３ｅで確実に保持することができる。
【００２０】
また、本実施形態の屋根構造によると、複数の屋根母屋２Ａ，２Ｂにそれぞれ建材保持部材１０を構成する第１保持部材１２及び化粧ホルダー１３を装着し、それらの間に厚肉の屋根下地材１１ａ，１１ｂ配置するだけで屋根構造が完成するので、ビスを使用した従来の屋根構造と比較して、厚肉の屋根下地材１１ａ，１１ｂの取付け作業に費やす時間と労力が大幅に低減し、屋根の施工コストを抑えることができる。
【００２１】
そして、本実施形態の屋根構造は、屋根母屋２Ａ，２Ｂの下部フランジ２ｃを化粧ホルダー１３の化粧部１３ｃで覆っており、室内から天井を見ても屋根母屋２Ａ，２Ｂが露出しないので、化粧性に優れた天井を提供することができる。
なお、上記実施形態では、垂木１の上部に固定された屋根母屋２Ａ，２Ｂに建材保持部材１０を装着した場合について説明したが、図１（ｂ）で示したように、垂木１の下部に固定された屋根母屋２Ａ，２Ｂに建材保持部材１０を装着し、屋根母屋２Ａ，２Ｂの間に配置した厚肉の屋根下地材１１ａ，１１ｂを保持しても、同様の作用効果を得ることができる。
【００２２】
（第２実施形態：屋根構造）
次に、図７から図１１は、第２実施形態の屋根構造を示すものである。
本実施形態は、垂木１の上部に固定されたＣ型鋼（リップ溝形鋼）からなる屋根母屋２Ａ，２Ｂ（図１（ａ）参照）に建材保持部材２０を装着し、屋根母屋２Ａ，２Ｂの間に配置した薄肉の屋根下地材２１ａ，２１ｂを、建材保持部材２０を介して保持する屋根構造である。
本実施形態の建材保持部材２０は、ウェブ２ａ、下部フランジ２ｃ及び下部リップ２ｃ１の外壁に当接して屋根母屋２Ａに固定されている金属平板を折曲して形成した第１保持部材２２と、下部フランジ２ｃ及び下部リップ２ｃ１を覆いながら第１保持部材２２に着脱自在に重なっている化粧を施した金属平板を折曲して形成した化粧ホルダー２３と、上部フランジ２ｂの内壁に沿って装着された第２保持部材２４と、で構成されている。
【００２３】
第１保持部材２２は、ウェブ２ａの外壁に当接してビス１４でウェブ２ａに固定される固定片２２ａと、固定片２２ａの上端からウェブ２ａから離間する方向に折曲され、ウェブ２ａの外周に向けて端部を配置した薄肉の第１の屋根下地材２１ａの端部の上面に当接する第１挟持片２２ｂと、固定片２２ａの下端からウェブ２ａから離間する方向に凸状に折曲された第１係止部２２ｃと、この第１係止部２２ｃから下部フランジ２ｃ及び下部リップ２ｃ１を覆う被覆部２２ｄと、被覆部２２ｄの端部から下部リップ２ｃ１の上端を囲むように折曲されたリップ係合部２２ｅと、を備えている。
【００２４】
化粧ホルダー２３は、第１の屋根下地材２１ａの下面に当接して第１の屋根下地材２１ａを第１保持部材２２の第１挟持片２２ｂに向かう厚さ方向に押圧する第２挟持片２３ａと、第２挟持片２３ａの基部から延在して弾性変形しながら第１保持部材２２の第１係止部２２ｃの外側に重なる第１被係止部２３ｂと、第１被係止部２３ｂの基部から第１保持部材２２の被覆部２２ｄを覆って延在する化粧部２３ｃと、化粧部２３ｃの縁部に内側に折曲して形成され、屋根母屋２Ａの開口部２ｄに挿入した薄肉の第２の屋根下地材２１ｂの端部下面に当接する当接片２３ｄと、を備えている。
【００２５】
第２保持部材２４は、ウェブ２ａ，上部フランジ２及び上部リップ２ｂ１の内壁に接触して係合する係合片２４ａと、上部リップ２ｂ１側の係合片２４ａの縁部から下方に延在し、屋根母屋２Ａの開口部２ｄに挿入した第２の屋根下地材２１ｂの上面に弾性変形しながら当接している第４挟持片２４ｂと、を備えている。
なお、図１（ａ）において垂木１の上部に固定された屋根母屋２Ｂに装着される建材保持部材２０も、図７と同様の構造とされている。
【００２６】
次に、本実施形態の建材保持部材２０を使用した屋根構造の施工手順について、図８から図１１を参照して説明する。
先ず、図８に示すように、第１保持部材２２の被覆部２２ｄで屋根母屋２Ａの下部フランジ２ｃを覆うとともに、第１保持部材２２の固定片２２ａを、屋根母屋２Ａのウェブ２ａの外壁に当接してビス１４で固定する。
また、第２保持部材２４の係合片２４ａを、屋根母屋２Ａのウェブ２ａ，上部フランジ２及び上部リップ２ｂ１の内壁に当接することで、第４挟持片２４ｂを上部リップ２ｂ１から下方に延在させる。
次に、図９に示すように、ウェブ２ａの外周に向けて第１の屋根下地材２１ａの端部を配置するとともに、屋根母屋２Ａの開口部２ｄに、第２の屋根下地材２１ｂの端部を挿入し、その端部の上面を、第２保持部材２４の第４挟持片２４ｂに当接させる。
【００２７】
次に、図１０に示すように、化粧ホルダー２３の当接片２３ｄを、第１保持部材２２のリップ係合部２２ｅに係合し、この部位を回転中心として、化粧ホルダー２３の第３挟持片２３ａ側を上方に回転させる。
そして、化粧ホルダー２３の第１被係止部２３ｂを弾性変形させながら第１保持部材２２の第１係止部２２ｃの外側に重なるように係合させる。これにより、化粧ホルダー２３の第２挟持片２３ａが第１の屋根下地材２１ａの下面に当接して第１の屋根下地材２１ａを第１保持部材２２の第１挟持片２２ｂに向かう厚さ方向に押圧する。また、屋根母屋２Ａの開口部２ｄに挿入した第２の屋根下地材２１ｂに対して、第２保持部材２４の第３挟持片２４ｂが弾性変形しながら化粧ホルダー２３の当接片２３ｄに向かう方向に押圧する。
【００２８】
そして、図１１に示すように、屋根母屋２Ａに装着した建材保持部材２０（第１保持部材２２、化粧ホルダー２３及び第２保持部材２４）が、第１及び第２屋根下地材２１ａ，２１ｂの端部を保持する。そして、図示しないが、屋根母屋２Ｂに装着した建材保持部材２０も、他の第１及び第２屋根下地材２１ａ，２１ｂの端部を保持する。
したがって、本実施形態の建材保持部材２０によると、複数の屋根母屋２Ａ，２Ｂに第１保持部材２２、化粧ホルダー２３及び第２保持部材２４を装着することで、屋根母屋２Ａ（或いは屋根母屋２Ｂ）に隣接して配置された薄肉の第１屋根下地材２１ａの端部を第１挟持片２２ｂ、第２挟持片２３ａで確実に保持し、屋根母屋２Ａ（或いは屋根母屋２Ｂ）に隣接して配置された薄肉の第２屋根下地材２１ｂの端部を、第２保持部材２４の第３挟持片２４ｂ及び化粧ホルダー２３の当接片２３ｄで確実に保持することができる。
【００２９】
また、本実施形態の屋根構造によると、複数の屋根母屋２Ａ，２Ｂにそれぞれ建材保持部材２０を構成する第１保持部材２２、化粧ホルダー２３及び第２保持部材２４を装着し、それらの間に薄肉の屋根下地材２１ａ，２１ｂ配置するだけで屋根構造が完成するので、ビスを使用した従来の屋根構造と比較して、薄肉の屋根下地材２１ａ，２１ｂの取付け作業に費やす時間と労力が大幅に低減し、屋根の施工コストを抑えることができる。
【００３０】
そして、本実施形態の屋根構造は、屋根母屋２Ａ，２Ｂの下部フランジ２ｃを化粧ホルダー２３の化粧部２３ｃで覆っており、室内から天井を見ても屋根母屋２Ａ，２Ｂが露出しないので、化粧性に優れた天井を提供することができる。
なお、上記実施形態では、垂木１の上部に固定された屋根母屋２Ａ，２Ｂに建材保持部材２０を装着した場合について説明したが、図１（ｂ）で示したように、垂木１の下部に固定された屋根母屋２Ａ，２Ｂに建材保持部材２０を装着し、屋根母屋２Ａ，２Ｂの間に配置した薄肉の屋根下地材２１ａ，２１ｂを保持しても、同様の作用効果を得ることができる。
【００３１】
（第３実施形態：屋根構造）
次に、図１２から図１６は、第３実施形態の屋根構造を示すものである。
本実施形態は、垂木（不図示）の上部に複数の等辺山形鋼からなる屋根母屋２Ｃが互いに平行に固定された鉄骨造の屋根骨組とし、各屋根母屋２Ｃに建材保持部材３０を装着し、隣接する屋根母屋２Ｃ，２Ｃの間に配置した屋根下地材３１ａ，３１ｂを、建材保持部材３０を介して保持する屋根構造である。
図１２に示すように、屋根母屋２Ｃは、上下方向に延在する第１フランジ２ｅと、この第１フランジ２ｅの上端から水平方向に直交している第２フランジ２ｆと、を備えている。そして、複数の屋根母屋２Ｃ…上に、野地材４が固定され、野地材４を上部から覆う屋根仕上げ材５が敷設される。
【００３２】
本実施形態の建材保持部材３０は、山形鋼２Ｃの第１フランジ２ｅの外側に固定されている金属平板を折曲して形成した第１保持部材３２と、第１保持部材３２に着脱自在に重なっている化粧を施して金属平板を折曲して形成した化粧ホルダー３３と、山形鋼２Ｃの第１フランジ２ｅ及び第２フランジ２ｆの内壁に沿って固定された第２保持部材３４と、で構成されている。
第１保持部材３２は、山形鋼２Ｃの第１フランジ２ｅの外側に当接し、第２保持部材３４とともにビス１４で第１フランジ２ｅに固定される固定片３２ａと、固定片３２ａの上端から第１フランジ２ｅに対して離間する方向に折曲され、第１フランジ２ｅの外側に向けて端部を配置した第１の屋根下地材３１ａの端部の上面に当接する第１挟持片３２ｂと、固定片３２ａの下端から第１フランジ２ｅに対して離間する方向に凸状に折曲された第１係止部３２ｃと、この第１係止部３２ｃの下部から前方に延在する被覆部３２ｄと、被覆部３２ｄの端部に形成された折曲部３２ｅと、を備えている。
【００３３】
化粧ホルダー３３は、屋根下地材３１ａの下面に当接して屋根下地材３１ａを第１保持部材３２の第１挟持片３２ｂに向かう厚さ方向に押圧する第２挟持片３３ａと、第２挟持片３３ａの基部から延在して弾性変形しながら第１保持部材３２の第１係止部３２ｃの外側に重なる第１被係止部３３ｂと、第１被係止部３３ｂの基部から第１保持部材３２の被覆部３２ｄを覆って延在する化粧部３３ｃと、化粧部３３ｃの縁部に内側に折曲して形成され、第２保持部材３４の内側に挿入した第２の屋根下地材３１ｂの端部下面に当接する当接片３３ｄと、を備えている。
【００３４】
第２保持部材３４は、山形鋼２Ｃの第１フランジ２ｅ及び第２フランジ２ｆの内壁に当接し、第１保持部材３２の被覆部３２ｄに覆われている略コ字形状に折曲して形成された係合片３４ａと、係合片３４ａの下側の端部から第２フランジ２ｆ側に向かって形成された立上がり部３４ｂと、係合片３４ａの第２フランジ２ｆの内壁に当接している端部から下方に延在し、第２の屋根下地材３１ｂを第２保持部材３４の内側に挿入すると、弾性変形しながら第２の屋根下地材３１ｂを当接片３３ｄ側に押圧する第４挟持片３４ｃと、を備えている。
【００３５】
次に、本実施形態の建材保持部材３０を使用した屋根構造の施工手順について、図１３から図１６を参照して説明する。
先ず、図１３に示すように、第１保持部材３２の固定片３２ａを、屋根母屋２Ｃの第１フランジ２ｅの外壁に当接してビス１４で固定する。
次に、図１４に示すように、屋根母屋２Ｃの第１フランジ２ｅ、第２フランジ２ｆ及び第１保持部材３２の被覆部３２ｄの内側に第２保持部材３４を装着する。
【００３６】
次に、図１５に示すように、第１フランジ２ｅの外壁に向けて第１の屋根下地材３１ａの端部を配置するとともに、第２保持部材３４の内部に第２の屋根下地材３１ｂの端部を挿入し、その端部の上面を第２保持部材２４の第４挟持片３４ｂに当接させる。
次に、図１６に示すように、化粧ホルダー３３の当接片３３ｄを、第１保持部材３２の折曲部３２ｅに係合し、この部位を回転中心として、化粧ホルダー３３の第３挟持片３３ａ側を上方に回転させる。
【００３７】
そして、化粧ホルダー３３の第１被係止部３３ｂを弾性変形させながら第１保持部材３２の第１係止部３２ｃの外側に重なるように係合させる。これにより、化粧ホルダー３３の第２挟持片３３ａが第１の屋根下地材３１ａの下面に当接して第１の屋根下地材３１ａを第１保持部材３２の第１挟持片３２ｂに向かう厚さ方向に押圧する。
また、第２保持部材３４の内部に挿入した第２の屋根下地材３１ｂに対して、第２保持部材３４の第３挟持片３４ｃが弾性変形しながら化粧ホルダー３３の当接片３３ｄに向かう方向に押圧する。
【００３８】
これにより、屋根母屋２Ｃに装着した建材保持部材３０（第１保持部材３２、化粧ホルダー３３及び第２保持部材３４）が、第１及び第２屋根下地材３１ａ，３１ｂの端部を保持する。そして、図示しない他の屋根母屋２Ｃに装着した建材保持部材３０も、他の第１及び第２屋根下地材３１ａ，３１ｂの端部を保持する。
したがって、本実施形態の建材保持部材３０によると、複数の屋根母屋２Ｃに第１保持部材３２、化粧ホルダー３３及び第２保持部材３４を装着することで、屋根母屋２Ｃに隣接して配置された第１屋根下地材３１ａの端部を第１挟持片３２ｂ、第２挟持片３３ａで確実に保持し、屋根母屋２Ｃに隣接して配置された第２屋根下地材３１ｂの端部を、第２保持部材３４の第３挟持片３４ｃ及び化粧ホルダー３３の当接片３３ｄで確実に保持することができる。
【００３９】
また、本実施形態の屋根構造によると、山形鋼からなる複数の屋根母屋２Ｃにそれぞれ建材保持部材３０を構成する第１保持部材３２、化粧ホルダー３３及び第２保持部材３４を装着し、それらの間に屋根下地材３１ａ，３１ｂ配置するだけで屋根構造が完成するので、ビスを使用した従来の屋根構造と比較して、屋根下地材３１ａ，３１ｂの取付け作業に費やす時間と労力が大幅に低減し、屋根の施工コストを抑えることができる。
そして、本実施形態の屋根構造は、屋根母屋２Ｃの下側を化粧ホルダー３３の化粧部３３ｃで覆っており、室内から天井を見ても屋根母屋２Ｃが露出しないので、化粧性に優れた天井を提供することができる。
【００４０】
なお、図１２から図１６で示した第３実施形態は、屋根母屋２Ｃを構成する山形鋼が、第１フランジ２ｅが上下方向に延在し、第２フランジ２ｆが第１フランジ２ｅの上端から水平方向に直交するように配置されていたが、図１７で示すように、第１フランジ２ｅが上下方向に延在し、第２フランジ２ｆが第１フランジ２ｅの下端から水平方向に直交するように配置した場合には、第３実施形態で使用した第１保持部材３２、化粧ホルダー３３及び第２保持部材３４からなる建材保持部材３０を使用し、第３実施形態と同様の効果を奏することができる。
【００４１】
この際、屋根母屋２Ｃに第１保持部材３２をビスで固定する位置を、図１７のＫで示すように、第２フランジｆと第１保持部材３２の被覆部３２ｄであってもよい。
なお、上記実施形態では、垂木（不図示）の上部に固定された屋根母屋２Ｃに建材保持部材３０を装着した場合について説明したが、図１（ｂ）に類似するように、垂木１の下部に固定された屋根母屋２Ｃに建材保持部材３０を装着し、隣接する複数の屋根母屋２Ｃの間に配置した屋根下地材３１ａ，３１ｂを保持しても、同様の作用効果を得ることができる。
【符号の説明】
【００４２】
１…垂木、２Ａ，２Ｂ…屋根母屋（溝形鋼）、２ａ…ウェブ、２ｂ…上部フランジ、２ｂ１…上部リップ、２ｃ…下部フランジ、２ｃ１…下部リップ、２ｄ…開口部、３…連結部材、４…野地材、５…屋根仕上げ材、１０…建材保持部材、１１ａ…第１の屋根下地材（第１建材）、１１ｂ…第２の屋根下地材（第２建材）、１２…第１保持部材、１２ａ…固定片、１２ｂ…第１挟持片、１２ｃ…係止部、１２ｄ…被覆部、１２ｅ…リップ係合部、１３…化粧ホルダー、１３ａ…第２挟持片、１３ｂ…被係止部、１３ｃ…化粧部、１３ｄ…係合片、１３ｅ…第３挟持片、１４…ビス、２０…建材保持部材、２１ａ…第１の屋根下地材（第１建材）、２１ｂ…第２の屋根下地材（第２建材）、２２…第１保持部材、２２ａ…固定片、２２ｂ…第１挟持片、２２ｃ…係止部、２２ｄ…被覆部、２２ｅ…リップ係合部、２３…化粧ホルダー、２３ａ…第２挟持片、２３ｂ…被係止部、２３ｃ…化粧部、２３ｄ…当接片、２４…第２保持部材、２４ａ…係合片、２４ｂ…第４挟持片、２Ｃ…屋根母屋（山形鋼）、２ｅ…第１フランジ、２ｆ…第２フランジ、３０…建材保持部材、３１ａ，３１ｂ…屋根下地材、３２…第１保持部材、３２ａ…固定片、３２ｂ…挟持片、３２ｃ…第１係止部、３２ｄ…被覆部、３２ｅ…折曲部、３３…化粧ホルダー、３３ａ…第２挟持片、３３ｂ…被係止部、３３ｃ…化粧部、３３ｄ…当接片、３４…第２保持部材、３４ａ…係合片、３４ｂ…立上がり部、３４ｃ…第４挟持片
【要約】
【課題】屋根構造に採用することで、建材を確実に保持し、建材の取付けも簡単に行なうことができるとともに、屋根裏の見栄えも良くすることができる建材保持部材を提供する。
【解決手段】建材保持部材１０は、ウェブ２ａの外壁に沿って溝形鋼２Ａに固定される第１保持部材１２と、下部フランジを覆いながら第１保持部材に着脱自在に係合する化粧ホルダー１３とを有し、第１保持部材は、ウェブの外周に向けて端部を配置した第１建材１１ａの上面に当接する第１挟持片１２ｂを備え、化粧ホルダーは、第１建材の下面に当接して第１建材を第１挟持片に向かう厚さ方向に押圧する第２挟持片１３ａと、溝形鋼の開口部２ｄに挿入した第２建材１１ｂの端部を厚さ方向から挟持する第３挟持片１３ｅと、を備えている。
【選択図】図２【図１】
0005561650.tif 000002
【図２】
0005561650.tif 000003
【図３】
0005561650.tif 000004
【図４】
0005561650.tif 000005
【図５】
0005561650.tif 000006
【図６】
0005561650.tif 000007
【図７】
0005561650.tif 000008
【図８】
0005561650.tif 000009
【図９】
0005561650.tif 000010
【図１０】
0005561650.tif 000011
【図１１】
0005561650.tif 000012
【図１２】
0005561650.tif 000013
【図１３】
0005561650.tif 000014
【図１４】
0005561650.tif 000015
【図１５】
0005561650.tif 000016
【図１６】
0005561650.tif 000017
【図１７】
0005561650.tif 000018